(57)【特許請求の範囲】
【請求項１】
一個の錠で複数の扉の解錠を行うパチンコ機の錠装置であって、
錠の回動部位が正回動することによりその回動力を受けて正方向にスライドし、前記錠の回動部位が逆回動することによりその回動力を受けて逆方向にスライドするスライド板と、
前記スライド板の一端と他端とに、連結ピンと長孔とからなる連結機構を介して連結されており、第一の扉を施錠する施錠位置と、その第一の扉を解錠する解錠位置との間でスライド可能な第一の可動錠板と、
前記スライド板の係合機構と係合可能に構成されており、第二の扉を施錠する施錠位置と、前記第二の扉を解錠する解錠位置との間でスライド可能な第二の可動錠板とを有しており、
前記錠の回動力で前記スライド板が正方向にスライドするときには、前記連結機構の連結ピンと長孔の端部とが係合して、そのスライド力が両側の第一の可動錠板に伝えられ、それらの第一の可動錠板が第一の扉の施錠位置から解錠位置までスライドし、
前記錠の回動力で前記スライド板が逆方向にスライドするときには、前記連結機構の連結ピンが長孔内を移動することで、そのスライド力が前記両側の第一の可動錠板に伝わらず、前記係合機構を介して前記第二の可動錠板に伝えられ、前記第二の可動錠板が第二の扉の施錠位置から解錠位置までスライドすることを特徴とするパチンコ機の錠装置。
【請求項２】
請求項１記載のパチンコ機の錠装置であって、
錠の回動部位の回動力はラック＆ピニオン機構によってスライド板に伝達されることを特徴とするパチンコ機の錠装置。
【請求項３】
請求項２記載のパチンコ機の錠装置であって、
ピニオンの歯は、円周方向の一部分に形成されていることを特徴とするパチンコ機の錠装置。
【発明の詳細な説明】
【０００１】
【発明の属する技術分野】
本発明は、一個の錠で複数の扉の解錠を行うパチンコ機の錠装置に関する。
【０００２】
【従来の技術】
パチンコ機１００は、一般的に図８に示すように、機台枠１０１を備えており、その機台枠１０１に遊技盤等を備える表枠１０３が扉状に開閉可能に取付けられている。表枠１０３の表面には飾り枠１０５がビス止めされ、その飾り枠１０５にガラス枠１０６等が扉状に開閉可能に取付けられている。
表枠１０３の開閉自由端側の裏面には、その表枠１０３の施錠を行う第一錠ユニット１２０が取付けられており、飾り枠１０５の内側面にはその第一錠ユニット１２０の近傍にガラス枠１０６の施錠を行う第二錠ユニット１３０が取付けられている。
【０００３】
第一錠ユニット１２０は、図９に示すように、固定基枠１２２を備えており、その固定基枠１２２の中央寄りにシリンダ錠１２４が取付けられている。さらに、固定基枠１２２のガイド板１２２ｙには、スライド板１２３と第一可動錠板１２７とが重ねられた状態でそのガイド板１２２ｙに沿って摺動できるように取付けられている。シリンダ錠１２４は第一錠ユニット１２０及び第二錠ユニット１３０の解錠を行う錠であり、回動可能なブーメラン状の解錠レバー１２５を有している。シリンダ錠１２４の解錠レバー１２５がキーにより正回動（図中左回動）されると、解錠レバー１２５の第一解錠片１２５ａが第一可動錠板１２７の係合段部１２７ｋと係合してその第一可動錠板１２７をガイド板１２２ｙに沿って上動させる。これによって、第一可動錠板１２７の上下端に連結されたロック爪１２８が解錠方向（下方）に回動し、表枠１０３の解錠が行われる。
【０００４】
シリンダ錠１２４の解錠レバー１２５がキーにより逆回動されると、解錠レバー１２５の第二解錠片１２５ｂがスライド板１２３の係合段部１２３ｘと係合してそのスライド板１２３をガイド板１２２ｙに沿って下動させる。これによって、固定基枠１２２の開口１２２ｋから突出しているスライド板１２３の押し下げレバー１２３ｐ（図８参照）が、第二錠ユニット１３０の第二可動錠板１３２を押し下げる。この結果、第二可動錠板１３２の上下に形成された爪部がガラス枠１０６の係合片１０６ｋ，１０６ｄから外れ、ガラス枠１０６の解錠が行われる。
【０００５】
【発明が解決しようとする課題】
しかし、上記したパチンコ機の錠装置によると、固定基枠１２２のガイド板１２２ｙからシリンダ錠１２４までの間にスライド板１２３と第一可動錠板１２７とを重ねて収納できるスペースを確保しなければならないため、固定基枠１２２を小型化する際にその固定基枠１２２の幅Ｌを希望する値にまで小さくできない。
さらに、シリンダ錠１２４の解錠レバー１２５により、重ねられたスライド板１２３と第一可動錠板１２７とを互いに干渉しないように正確に動作させなければならないため、シリンダ錠１２４の解錠レバー１２５及びスライド板１２３、第一可動錠板１２７の製作精度及び組付け精度を高くしなければならない。このため、パチンコ機の錠装置の製作コストが高くなる。
【０００６】
本発明は、上記問題点を解決するためになされたものであり、錠装置を簡単な構造にして小型化可能にすることにより、製作コストの低減を図ることを目的とする。
【０００７】
【課題を解決するための手段】
上記した課題は、各請求項の発明によって解決される。
請求項１の発明は、一個の錠で複数の扉の解錠を行うパチンコ機の錠装置であって、錠の回動部位が正回動することによりその回動力を受けて正方向にスライドし、前記錠の回動部位が逆回動することによりその回動力を受けて逆方向にスライドするスライド板と、前記スライド板の一端と他端とに、連結ピンと長孔とからなる連結機構を介して連結されており、第一の扉を施錠する施錠位置と、その第一の扉を解錠する解錠位置との間でスライド可能な第一の可動錠板と、前記スライド板の係合機構と係合可能に構成されており、第二の扉を施錠する施錠位置と、前記第二の扉を解錠する解錠位置との間でスライド可能な第二の可動錠板とを有しており、前記錠の回動力で前記スライド板が正方向にスライドするときには、前記連結機構の連結ピンと長孔の端部とが係合して、そのスライド力が両側の第一の可動錠板に伝えられ、それらの第一の可動錠板が第一の扉の施錠位置から解錠位置までスライドし、前記錠の回動力で前記スライド板が逆方向にスライドするときには、前記連結機構の連結ピンが長孔内を移動することで、そのスライド力が前記両側の第一の可動錠板に伝わらず、前記係合機構を介して前記第二の可動錠板に伝えられ、前記第二の可動錠板が第二の扉の施錠位置から解錠位置までスライドすることを特徴とする。
本発明によると、錠の回動部位の回動力を受けるのはスライド板のみであり、第一の可動錠板及び第二の可動錠板には錠の回動部位が直接的に接触することはない。このため、錠の回動部位が接触する位置にはスライド板を一枚配置すれば良く、従来のように、第一の可動錠板等とスライド板と重ねて配置する必要がない。したがって、錠回りの構造が簡単になってパチンコ機の錠装置をコンパクトに製作でき、その錠装置の製作コストを低減させることができる。
【０００８】
請求項２の発明は、請求項１記載のパチンコ機の錠装置であって、
錠の回動部位の回動力はラック＆ピニオン機構によってスライド板に伝達されることを特徴とする。
このため、錠の回動部位の回動角度とスライド板のスライド量とが比例する。したがって、従来のように、回動レバーでスライド板等を上動あるいは下動させる方式と比べ、錠の回動部位の回動角度とスライド板のスライド量との関係を正確に把握できるとともに、スライド板のスライド量も十分大きく設定できる。
【０００９】
請求項３の発明は、請求項２記載のパチンコ機の錠装置であって、ピニオンの歯は、円周方向の一部分に形成されていることを特徴とする。このため、ピニオンの製作が容易になる。
【００１４】
【発明の実施の形態】
［第一の実施の形態］
以下、図１から図８に基づいて、本発明の実施形態１に係るパチンコ機の錠装置の説明を行う。ここで、図１は本実施形態に係るパチンコ機の錠装置に使用される第一錠ユニットの斜視図、図２は第一錠ユニットの側面図（Ａ図）、正面図（Ｂ図）、図３から図６は第一錠ユニットの部品図である。また、図７は第二可動錠板の側面図、図８はパチンコ機の分解斜視図である。
先ず、図８に基づいて、本実施の形態に係るパチンコ機１０の全体概略を説明する。なお、図８は従来のパチンコ機１００の説明において使用したが、共通分部が多いためその図を再度使用する。
【００１５】
パチンコ機１０は、そのパチンコ機１０のケースとなる機台枠１１を備えており、その機台枠１１に表枠１３が扉状に開閉可能に取付けられている。表枠１３は図示されていない遊技盤や制御装置等、パチンコ機の主要部品が取付けられる枠であり、木板を積層することにより所定の枠形状に成形される。表枠１３の表面には金属製の飾り枠１５がビス止めされ、その飾り枠１５の部分に玉受け皿を有する前板（図示されていない）やガラス枠１６が扉状に開閉可能に取付けられている。
【００１６】
表枠１３の開閉自由端側の裏面には、その表枠１３の施錠を行う第一錠ユニット２０が縦に取付けられている。また、飾り枠１５の内側面にはその第一錠ユニット２０の近傍にガラス枠１６の施錠を行う第二錠ユニット３０が取付けられている。
第一錠ユニット２０は、表枠１３の裏面に固定される固定基枠２１を備えている。固定基枠２１は、図１、図２に示すように、横断面形状がＬ字形に形成された棒状部材であり、表枠１３に固定される固定板２１ｓとその固定板２１ｓに対してほぼ直角に折り曲げられたガイド板２１ａとから構成されている。固定基枠２１の固定板２１ｓには、その固定板２１ｓのほぼ中央位置にシリンダ錠２４が直角に取付けられている。シリンダ錠２４は、図示されていない解錠キーによって回動させられる回動軸２４ｒ（図２（Ａ）参照）を有しており、その回動軸２４ｒの先端に回動プレート２４ｐが例えばビス等により固定されている。
【００１７】
このため、シリンダ錠２４の回動軸２４ｒが回動すると、回動プレート２４ｐは固定基枠２１の固定板２１ｓと平行な状態で回動する。
回動プレート２４ｐは、図６等に示すように、略円板状に成形されたピニオンであり、その中心部分に回動軸２４ｒの先端面が嵌合する角穴２４Hが形成されている。また、回動プレート２４ｐの外周部には約180°の範囲で複数のピニオンの歯２４ｗ，２４ｘが等間隔で形成されている。このように、ピニオンの歯２４ｗ，２４ｘは約180°の範囲で形成されるため、全周にわたってピニオンの歯２４ｗ，２４ｘを形成する場合と比べて歯２４ｗと歯２４ｘの間隔を自由に設定できる。
【００１８】
固定基枠２１のガイド板２１ａには、図１、図２に示すように、その上下方向における中央位置にスライド板２３が重ねられた状態で摺動可能にセットされる。スライド板２３は、シリンダ錠２４の回動プレート２４ｐの回動角度に応じた寸法だけ固定基枠２１に沿って上下動する帯状板であり、その中央位置に回動プレート２４ｐのピニオンの歯２４ｗ，２４ｘと噛合するラック２３ｒが形成されている。
【００１９】
スライド板２３は、図３に示すように、固定基枠２１の固定板２１ｓに沿う内側長辺２３ａが直線状に形成されており、その内側長辺２３ａに対して幅方向の反対側に位置する外側長辺２３ｂが凹んだ台形状に形成されている。このため、スライド板２３はその中央部２３ｍが上端部２３ｕ及び下端部２３ｄよりも狭くなっている。
スライド板２３の外側長辺２３ｂの中央位置には前述のラック２３ｒが形成されている。このため、スライド板２３の中央部分の幅は、そのスライド板２３の内側長辺２３ａが固定基枠２１の固定板２１ｓに当接した状態で、回動プレート２４ｐのピニオンの歯２４ｗ，２４ｘがラック２３ｒと確実に噛合できる値に設定されている。
【００２０】
スライド板２３には、ラック２３ｒの上方に押し下げレバー２３ｐ（図３（Ｂ）参照）が直角に折り曲げ成形されている。
押し下げレバー２３ｐは、後記する第二錠ユニット３０の第二可動錠板３２を押し下げるレバーであり、スライド板２３が固定基枠２１にセットされた状態でその固定基枠２１のガイド板２１ａの形成されたスリット開口２１ｋ（図２（Ａ）参照）から表枠１３の内方向に突出する（図８参照）。
スライド板２３の上端部２３ｕ及び下端部２３ｄには、そのスライド板２３と後記する第一上部可動錠板２７及び第一下部可動錠板２８とを連結する連結ピン２３ｘが取付けられている。さらに、スライド板２３の下端部２３ｄには固定基枠２１の固定板２１ｓに面接触する折り曲げ部２３ｚが形成されており、その折り曲げ部２３ｚの端部にバネ受け２３ｙが形成されている。
【００２１】
第一上部可動錠板２７は表枠１３の上部を施錠する錠板であり、図４等に示すように、可動板部２７ｍとロック爪２７ａとによって側面視において逆Ｌ字形に形成されている。ロック爪２７ａは、機台枠１１の上部錠爪部材１１ｋ（図８参照）に上方から掛けられる爪であり、そのロック爪２７ａの先端部分が略三角形の鉤状に形成されている。ロック爪２７ａの先端部分の下側には傾斜面２７ｆが形成されており、表枠１３が閉じられる際に機台枠１１の上部錠爪部材１１ｋがその傾斜面２７ｆに当接する。そして、上部錠爪部材１１ｋが傾斜面２７ｆに接触している間、第一上部可動錠板２７には表枠１３の閉じ力がその傾斜面２７ｆの働きで上動方向に加わる。また、ロック爪２７ａの傾斜面２７ｆの後方（図中左側）には機台枠１１の上部錠爪部材１１ｋに掛けられる鉤部２７ｋが形成されている。
【００２２】
第一上部可動錠板２７の可動板部２７ｍは、固定基枠２１のガイド板２１ａに沿って移動する部分であり、その可動板部２７ｍの上部で、かつロック爪２７ａの基端部近傍にストッパ部２７ｓが形成されている。ストッパ部２７ｓは、第一上部可動錠板２７の下動を規制する部分であり、その第一上部可動錠板２７が下限位置（施錠位置）にある状態で、ストッパ部２７ｓは固定基枠２１のガイド板２１ａに設けられた上部押えピン２１ｐに当接する（図２（Ａ）参照）。
【００２３】
可動板部２７ｍのほぼ中央にはバネ受け２７ｕが切り起こし状に形成されており、そのバネ受け２７ｕに第一バネ２２ａ（図２（Ａ）参照）の一端が掛けられている。第一バネ２２ａは第一上部可動錠板２７を弾性力で下限位置方向に付勢する部材であり、その第一バネ２２ａの他端が固定基枠２１の固定板２１ｓに形成された上部バネ受け２１ｅに掛けられている。
【００２４】
可動板部２７ｍの下部は幅広に形成されており、その可動板部２７ｍの下部に長孔２７ｅが縦方向に形成されている。長孔２７ｅは、図４に示すように、小径長孔２７ｔとその小径長孔２７ｔの下端部に形成された大径孔２７ｘとから構成されており、その大径孔２７ｘの内径がスライド板２３の連結ピン２３ｘの頭部の外径とほぼ等しい値に設定されている。また、小径長孔２７ｔの内径がその連結ピン２３ｘの軸部の外径とほぼ等しい値に設定されている。このため、連結ピン２３ｘの頭部が長孔２７ｅの大径孔２７ｘに通されることにより、その連結ピン２３ｘと長孔２７ｅとが係合し、第一上部可動錠板２７の可動板部２７ｍはスライド板２３の上端部２３ｕと連結される。そして、第一上部可動錠板２７とスライド板２３とはその長孔２７ｅの長さ分だけ上下方向に相対移動が可能となる。
【００２５】
スライド板２３は、第一上部可動錠板２７が下限位置にある状態で、連結ピン２３ｘが長孔２７ｅの上端に当接する位置に配置される（図１、図２等参照）。このため、スライド板２３がこの位置から上動すると、第一上部可動錠板２７はスライド板２３の連結ピン２３ｘによって押し上げられ、第一バネ２２ａのバネ力に抗して上動する。一方、第一上部可動錠板２７が下限位置にある状態で、連結ピン２３ｘの下方には長孔２７ｅによる遊び（空間）があるため、スライド板２３はその長孔２７ｅの長さ分だけ下動することができる。
【００２６】
第一下部可動錠板２８は表枠１３の下部を施錠する錠板であり、図５等に示すように、可動板部２８ｍとロック爪２８ａとによって側面視においてＬ字形に形成されている。ロック爪２８ａは、機台枠１１の下部錠爪部材１１ｄ（図８参照）に上方から掛けられる爪であり、そのロック爪２８ａの先端部分が略三角形の鉤状に形成されている。ロック爪２８ａの先端部分の下側には傾斜面２８ｆが形成されており、表枠１３が閉じられる際に機台枠１１の下部錠爪部材１１ｄがその傾斜面２８ｆに当接する。そして、下部錠爪部材１１ｋが傾斜面２８ｆに接触している間、第一下部可動錠板２８には表枠１３の閉じ力が傾斜面２８ｆの働きで上方向に加わる。また、ロック爪２８ａの傾斜面２８ｆの後方（図中左側）には機台枠１１の下部錠爪部材１１ｄに掛けられる鉤部２８ｋが形成されている。
【００２７】
第一下部可動錠板２８の可動板部２８ｍは、固定基枠２１のガイド板２１ａに沿って移動する部分であり、その可動板部２８ｍの下部で、かつロック爪２８ａの基端部近傍にストッパ部２８ｓが形成されている。ストッパ部２８ｓは、第一下部可動錠板２８の下動を規制する部分であり、その第一下部可動錠板２８が下限位置（施錠位置）にある状態で、ストッパ部２８ｓは固定基枠２１のガイド板２１ａに設けられた下部押えピン２１ｑに当接する（図２（Ａ）参照）。
【００２８】
可動板部２８ｍのほぼ中央にはバネ受け２８ｕが切り起こし状に形成されており、そのバネ受け２８ｕに第二バネ２２ｂ（図２（Ａ）参照）の一端が掛けられている。第二バネ２２ｂは第一下部可動錠板２８を弾性力で下限位置方向に引っ張る部材であり、その第二バネ２２ｂの他端が固定基枠２１の固定板２１ｓに形成された下部バネ受け２１ｆに掛けられている。
【００２９】
可動板部２８ｍの上部は幅狭に形成されており、その可動板部２８ｍの上部に長孔２８ｅが縦方向に形成されている。長孔２８ｅは、小径長孔２８ｔとその小径長孔２８ｔの下端部に形成された大径孔２８ｘとから構成されており、その大径孔２８ｘの内径がスライド板２３の連結ピン２３ｘの頭部の外径とほぼ等しい値に設定されている。また、小径長孔２８ｔの内径がその連結ピン２３ｘの軸部の外径とほぼ等しい値に設定されている。このため、連結ピン２３ｘの頭部が長孔２８ｅの大径孔２８ｘに通されることにより、その連結ピン２３ｘと長孔２７ｅとが係合し、第一下部可動錠板２８の可動板部２８ｍはスライド板２３の下端部２３ｄと連結される。そして、第一下部可動錠板２８とスライド板２３とはその長孔２７ｅの長さ分だけ上下方向に相対移動が可能となる。
【００３０】
スライド板２３は、第一下部可動錠板２８が下限位置にある状態で、連結ピン２３ｘが長孔２７ｅの上端に当接する位置に配置される（図１、図２等参照）。このため、スライド板２３がこの位置から上動すると、第一下部可動錠板２８は、第一上部可動錠板２７と共にスライド板２３の連結ピン２３ｘによって押し上げられ、第二バネ２２ｂのバネ力に抗して上動する。一方、第一下部可動錠板２８が下限位置にある状態で、連結ピン２３ｘの下方には長孔２８ｅの長さ分だけ遊び（空間）があるため、スライド板２３はその長孔２８ｅの長さ分だけ下動することができる。
【００３１】
第一下部可動錠板２８の上部には長孔２８ｅの上方に上部バネ受け２８ｙが形成されており、この上部バネ受け２８ｙとスライド板２３の下端部２３ｄに形成されたバネ受け２３ｙとの間に、図１に示すように、第三バネ２２ｃが掛けられている。第三バネ２２ｃは第一下部可動錠板２８に対してスライド板２３を引き上げる方向に付勢されている。このため、第一下部可動錠板２８及び第一上部可動錠板２７が下限位置に保持されている状態で、スライド板２３の上下に設けられた連結ピン２３ｘは第一下部可動錠板２８及び第一上部可動錠板２７の長孔２７ｅ，２８ｅの上端に確実に当接するようになる。
即ち、第一上部可動錠板２７が本発明の第一の可動錠板の一方の分割片に相当し、第一下部可動錠板２８が本発明の第一の可動錠板の他方の分割片に相当する。また、表枠１３が本発明の第一の扉に相当する。さらに、上動方向が本発明における正方向に相当し、下動方向が本発明における逆方向に相当する。
【００３２】
第二錠ユニット３０は、飾り枠１５の内側面に沿って上下動する第二可動錠板３２と、その第二可動錠板３２を上下動可能なように飾り枠１５の内側面に取付ける取付けピン（図示されていない）とから構成されている。
第二可動錠板３２は、図７に示すように、縦長の帯状板材であり、その第二可動錠板３２のガラス枠１６側には上部と下部とにそれぞれ上部凹部３２ｅと下部凹部３２ｆとが形成されている。
【００３３】
上部凹部３２ｅの下側には略三角形のロック爪３２ａが形成されており、そのロック爪３２ａの先端側に傾斜面３２ｍが形成されている。その傾斜面３２ｍには、ガラス枠１６が閉じられる際にそのガラス枠１６の上部係止片１６ｋが当接するようになっている。そして、上部係止片１６ｋが傾斜面３２ｍに接触している間、傾斜面３２ｍの働きにより第二可動錠板３２にはガラス枠１６の閉じ力が下方向に加わる。また、ロック爪３２ａの傾斜面３２ｍの後方（図中右側）にはガラス枠１６の上部係止片１６ｋに掛けられる鉤部３２ｋが形成されている。
【００３４】
同様に、下部凹部３２ｆの下側には略三角形のロック爪３２ｂが形成されており、そのロック爪３２ｂの先端側に傾斜面３２ｎが形成されている。その傾斜面３２ｎには、ガラス枠１６が閉じられる際にそのガラス枠１６の下部係止片１６ｄが当接する。そして、下部係止片１６ｄが傾斜面３２ｎに接触している間、その傾斜面３２ｎの働きにより第二可動錠板３２にはガラス枠１６の閉じ力が下方向に加わる。また、ロック爪３２ｂの傾斜面３２ｎの後方（図中右側）にはガラス枠１６の下部係止片１６ｄに掛けられる鉤部３２ｊが形成されている。
【００３５】
上部凹部３２ｅの下方及び下部凹部３２ｆの上方にはそれぞれ傾斜長孔３２ｘ，３２ｙが形成されている。傾斜長孔３２ｘ，３２ｙには飾り枠１５の内側面に固定された取付けピン（図示されていない）が挿入される。これによって、第二可動錠板３２は傾斜長孔３２ｘ，３２ｙ及び取付けピンによって飾り枠１５の内側面に取付けられ、それらの傾斜長孔３２ｘ，３２ｙの寸法分だけ上下動が可能になる。
【００３６】
第二可動錠板３２の略中央位置には切り起こし状にバネ受け３４が形成されており、このバネ受け３４に第二可動錠板３２を上限位置（施錠位置）まで引き上げる第四バネ（図示されていない）の一端が掛けられている。なお、前記第四バネの他端は飾り枠１５の内側面に形成されたバネ受け（図示されていない）に掛けられる。このため、第二可動錠板３２に外力が加わらない状態で、その第二可動錠板３２は上限位置に保持されている。
【００３７】
第二可動錠板３２の略中央位置にはバネ受け３４の下側に棒状の受けレバー３５が表枠１３の後方に突出するように形成されている。受けレバー３５は、飾り枠１５が表枠１３の表面にビス止めされ、かつ第二可動錠板３２が上限位置に保持されている状態で、第一錠ユニット２０の押し下げレバー２３ｐの下側に当接する。このため、第一錠ユニット２０のスライド板２３が下動して押し下げレバー２３ｐが下降すると、その押し下げレバー２３ｐが受けレバー３５を押し下げ、第二可動錠板３２は第四バネのバネ力に抗して下動する。
即ち、第二可動錠板３２が本発明の第二の可動錠板に相当し、ガラス枠１６が本発明の第二の扉に相当する。また、スライド板２３の押し下げレバー２３ｐ及び第二可動錠板３２の受けレバー３５が本発明の係合機構に相当する。
【００３８】
次に、本実施形態に係るパチンコ機の錠装置の動作説明を行う。なお、飾り枠１５は表枠１３の表面にビス止めされ、その表枠１３と一体化されているものとする。
先ず、パチンコ機１０の表枠１３を施錠する方法について説明する。表枠１３を施錠する場合には、その表枠１３を閉じ、表枠１３の開閉自由端側を機台枠１１に押付ける。これによって、表枠１３の施錠が自動的に行われる。
即ち、表枠１３が閉じられる過程で、第一上部可動錠板２７のロック爪２７ａの傾斜面２７ｆが機台枠１１の上部錠爪部材１１ｋに当接して摺動する。また、第一下部可動錠板２８のロック爪２８ａの傾斜面２８ｆが機台枠１１の下部錠爪部材１１ｄに当接して摺動する。これによって、傾斜面２７ｆが上部錠爪部材１１ｋに当接している間、傾斜面２７ｆの働きにより第一上部可動錠板２７には表枠１３の閉じ力が上方向に加わる。同様に、傾斜面２８ｆが下部錠爪部材１１ｄに当接している間、傾斜面２８ｆの働きにより第一下部可動錠板２８には表枠１３の閉じ力が上方向に加わる。
【００３９】
このとき、図１等に示すように、スライド板２３の上側の連結ピン２３ｘが第一上部可動錠板２７の長孔２７ｅの上端に当接しており、スライド板２３の下側の連結ピン２３ｘが第一下部可動錠板２８の長孔２８ｅの上端に当接している。このため、各連結ピン２３ｘの下には遊びが生じており、両可動錠板２７，２８に対して上動方向に表枠１３の閉じ力が加わると、両可動錠板２７，２８は、第一バネ２２ａ、第二バネ２２ｂのバネ力に抗して上動する。そして、機台枠１１の上部錠爪部材１１ｋが第一上部可動錠板２７のロック爪２７ａの傾斜面２７ｆを超えた段階で、第一上部可動錠板２７が第一バネ２２ａの力で下動し、ロック爪２７ａの鉤部２７ｋが機台枠１１の上部錠爪部材１１ｋに掛けられる。
【００４０】
同様に、機台枠１１の下部錠爪部材１１ｄが第一下部可動錠板２８のロック爪２８ａの傾斜面２８ｆを超えた段階で、第一下部可動錠板２８が第二バネ２２ｂの力で下動し、ロック爪２８ａの鉤部２８ｋが機台枠１１の下部錠爪部材１１ｄに掛けられる。これによって、表枠１３が完全に閉じられ、その表枠１３の施錠が行われる。
【００４１】
ガラス枠１６の施錠は、そのガラス枠１６を閉じ、ガラス枠１６の開閉自由端側を表枠１３に押付けることにより、自動的に行われる。即ち、ガラス枠１６が閉じられる過程でそのガラス枠１６の上部係止片１６ｋ及び下部係止片１６ｄが飾り枠１５の第二可動錠板３２の傾斜面３２ｍ，３２ｎにそれぞれ当接して摺動する。これによって、上部係止片１６ｋ及び下部係止片１６ｄが傾斜面３２ｍ，３２ｎに当接している間、その傾斜面３２ｍ，３２ｎの働きにより第二可動錠板３２にはガラス枠１６の閉じ力が下方向に加わる。
【００４２】
このため、第二可動錠板３２はガラス枠１６の閉じ力により、第四バネ（図示されていない）のバネ力に抗して下動する。そして、ガラス枠１６の上部係止片１６ｋ及び下部係止片１６ｄが第二可動錠板３２の傾斜面３２ｍ，３２ｎを超えた段階で、第二可動錠板３２が第四バネの力で上動し、ロック爪３２ａ，３２ｂの鉤部３２ｋ，３２ｊがそれぞれガラス枠１６の上部係止片１６ｋ及び下部係止片１６ｄに掛けられる。これによって、ガラス枠１６が完全に閉じられ、そのガラス枠１６の施錠が行われる。
【００４３】
次に、ガラス枠１６の解錠を行うには、解錠キーをシリンダ錠２４に挿入して逆回動（図３（Ｂ）において右回動）させる。これによって、シリンダ錠２４の回動プレート２４ｐが図３（Ｂ）において右回動し、その回動プレート２４ｐの回動力がラック＆ピニオン２４ｗ，２４ｘ，２３ｒの働きでスライド板２３に伝達される。これによって、スライド板２３は第三バネ２３ｃのバネ力に抗して固定基枠２１に沿って下動する。このとき、前述のように、第一上部可動錠板２７の長孔２７ｅの上端及び第一下部可動錠板２８の長孔２８ｅの上端にスライド板２３の各連結ピン２３ｘが当接しているため、スライド板２３が下動する際にそのスライド板２３の各連結ピン２３ｘは長孔２７ｅ，２８ｅ内を下方に移動し、スライド板２３が第一上部可動錠板２７、第一下部可動錠板２８と干渉することはない。
【００４４】
スライド板２３が下動すると、そのスライド板２３に形成された押し下げレバー２３ｐが下降して第二可動錠板３２の受けレバー３５を押し下げる。これによって、第二可動錠板３２が第四バネのバネ力に抗して下動し、その第二可動錠板３２に形成されたロック爪３２ａ，３２ｂの鉤部３２ｋ，３２ｊがそれぞれガラス枠１６の上部係止片１６ｋ及び下部係止片１６ｄから外される。これによって、ガラス枠１６の解錠が行われる。
【００４５】
次に、表枠１３を解錠するには、解錠キーをシリンダ錠２４に挿入して正回動（図３（Ｂ）において左回動）させる。これによって、シリンダ錠２４の回動プレート２４ｐが図３（Ｂ）において左回動し、その回動プレート２４ｐの回動力がラック＆ピニオン２４ｗ，２４ｘ，２３ｒの働きでスライド板２３に伝達される。これによって、スライド板２３は固定基枠２１に沿って上動する。このとき、前述のように、スライド板２３の各々の連結ピン２３ｘは第一上部可動錠板２７の長孔２７ｅの上端及び第一下部可動錠板２８の長孔２８ｅの上端にそれぞれ当接しているため、スライド板２３が上動すると第一上部可動錠板２７及び第一下部可動錠板２８はスライド板２３によって押し上げられあるいは引き上げられて、第一バネ２２ａ、第二バネ２２ｂのバネ力に抗して上動する。
【００４６】
これによって、第一上部可動錠板２７のロック爪２７ａの鉤部２７ｋが機台枠１１の上部錠爪部材１１ｋから外れ、第一下部可動錠板２８のロック爪２８ａの鉤部２８ｋが機台枠１１の下部錠爪部材１１ｄから外れる。これによって、表枠１３の解錠が行われる。
【００４７】
このように、本実施形態に係るパチンコ機１０の錠装置によると、シリンダ錠２４の回動プレート２４ｐに直接接触するのはスライド板２３のみであり、第一上部可動錠板２７及び第一下部可動錠板２８はそのシリンダ錠２４の回動プレート２４ｐと接触しない位置に配置されている。このため、シリンダ錠２４の回動プレート２４ｐの位置にはスライド板２３を一枚配置すれば良く、従来のように、第一上部可動錠板２７等とスライド板２３とを重ねて配置する必要がない。したがって、シリンダ錠２４の回りの構造が簡単になってパチンコ機の錠装置をコンパクトに製作でき、その錠装置の製作コストを低減させることができる。
【００４８】
また、シリンダ錠２４の回動プレート２４ｐの回動力はラック＆ピニオン２３ｒ，２４ｗ，２４ｘによってスライド板に伝達されるため、回動プレート２４ｐの回動角度とスライド板２３の上動量あるいは下動量とが比例する。したがって、従来のように、回動レバーでスライド板等を上動あるいは下動させる方式と比べ、シリンダ錠２４の回動プレート２４ｐの回動角度とスライド板２３の移動量との関係を正確に把握できるとともに、スライド板２３の移動量も十分大きく設定できる。このため、ロック爪２７ａ，２８ａの高さ寸法を大きく設定でき、施錠の信頼性を向上させることができる。
【００４９】
また、回動プレート２４ｐのピニオンの歯２４ｗ，２４ｘは、円周方向の一部分（約180°の範囲）に形成されているため、ピニオンの製作が容易になるとともに、全周にわたって歯を形成する場合と比べて歯と歯との間隔を自由に設定できる。
第一上部可動錠板２７及び第一下部可動錠板２８とスライド板２３とは長孔２７ｅ，２８ｅと連結ピン２３ｘとによって連結されており、第一上部可動錠板２７及び第一下部可動錠板２８に対してスライド板２３が下動できる遊びが設けられているため、スライド板２３が下動する際にそのスライド板２３が第一上部可動錠板２７及び第一下部可動錠板２８と干渉することがない。さらに、長孔２７ｅ，２８ｅを使用しているため、連結状態を確保した状態で遊びを確実に形成できる。
【００５０】
ここで、本実施の形態においては、ガラス枠１６及び表枠１３の錠装置について説明したが、これ以外の扉に対しても本発明に係る錠装置を使用することは可能である。
また、ラック＆ピニオン機構により、シリンダ錠２４の回動力をスライド板２３に伝達する例を示したが、従来のように、解錠レバーを使用する方法であっても良い。
また、長孔２７ｅ，２８ｅによりスライド板２３と第一上部可動錠板２７及び第一下部可動錠板２８との間に遊びを形成する例を示したが、切り欠き等により遊びを形成しても良い。
【００５１】
【発明の効果】
本発明によると、錠の回動部位が接触する位置にスライド板を一枚配置すれば良いため、錠回りの構造が簡単になってパチンコ機の錠装置をコンパクトに製作でき、その錠装置の製作コストを低減させることができる。
【図面の簡単な説明】
【図１】本発明の実施形態１に係るパチンコ機の錠装置に使用される第一錠ユニットの斜視図である。
【図２】第一錠ユニットの側面図（Ａ図）及びＡ図のＢ−Ｂ矢視図（Ｂ図）である。
【図３】第一錠ユニットを構成するスライド板の正面図（Ａ図）及びＡ図のＢ−Ｂ矢視図（Ｂ図）である。
【図４】第一錠ユニットを構成する第一上部可動錠板の正面図（Ａ図）及びＡ図のＢ−Ｂ矢視図（Ｂ図）である。
【図５】第一錠ユニットを構成する第一下部可動錠板の正面図（Ａ図）及びＡ図のＢ−Ｂ矢視図（Ｂ図）である。
【図６】シリンダ錠の回動プレートの側面図（Ａ図）及び正面図（Ｂ図）である。
【図７】本発明の実施形態１に係るパチンコ機の錠装置に使用される第二錠ユニットの第二可動錠板の側面図である。
【図８】パチンコ機の分解斜視図である。
【図９】従来の第一錠ユニットの斜視図である。
【符号の説明】
１０      パチンコ機
１３      表枠（第一の扉）
１５      飾り枠
１６      ガラス枠（第二の扉）
２０      第一錠ユニット
２３      スライド板
２３ｒ    ラック
２３ｘ    連結ピン（連結機構）
２３ｐ    押し下げレバー（係合機構）
２４      シリンダ錠（錠）
２４ｐ    回動プレート（回動部位）
２４ｗ    歯（ピニオン）
２４ｘ    歯（ピニオン）
２７      第一上部可動錠板（第一の可動錠板の分割片）
２７ｅ    長孔（連結機構）
２８      第一下部可動錠板（第一の可動錠板の分割片）
２８ｅ    長孔（連結機構）
３２      第二可動錠板（第二の可動錠板）
３５      受けレバー（係合機構）
【図１】
0003693891.tif 000002
【図２】
0003693891.tif 000003
【図３】
0003693891.tif 000004
【図４】
0003693891.tif 000005
【図５】
0003693891.tif 000006
【図６】
0003693891.tif 000007
【図７】
0003693891.tif 000008
【図８】
0003693891.tif 000009
【図９】
0003693891.tif 000010